(57)【特許請求の範囲】
【請求項１】
複数の特高／高圧変圧器にそれぞれ接続された複数の高圧側母線を母線連絡遮断器で接続するとともに高圧側母線には、それぞれ接地変圧器を設け、これら接地変圧器のデルタ結線側には、高圧側の中性点接地抵抗とみなす等価接地抵抗を設け、それら等価接地抵抗の抵抗値は、完全地絡時に方向地絡継電器が充分動作する有効電流を流す値に設定した特高／高圧変圧器の並列運転時の地絡保護システムであって、
前記等価接地抵抗を方向地絡継電器の動作電流確保用抵抗とデルタ結線構成用抵抗の２つに分け、前記デルタ結線構成用抵抗には、前記母線連絡遮断器の接点と前記動作電流確保用抵抗との直列回路が並列接続され、前記動作電流確保用抵抗を前記母線連絡遮断器の開閉条件で入切し、最優先の系統以外の動作電流確保用抵抗を切り離して、特高／高圧変圧器の並列運転時の系統零相抵抗分を一定に保持するようにしたことを特徴とする等価接地抵抗の抵抗値変化防止装置。
【請求項２】
前記高圧側自母線より一つ優先の母線の電圧を監視し、優先母線の接地変圧器の不具合を検出したとき、自母線の方向地絡継電器の動作電流確保用抵抗を投入することを特徴とする請求項１記載の等価接地抵抗の抵抗値変化防止装置。
【発明の詳細な説明】
【０００１】
【発明の属する技術分野】
この発明は、特高／高圧変圧器を並列運転する可能性のある変電所の高圧側母線の接地変圧器（GPT）三次回路に接続される等価接地抵抗の抵抗値変化防止装置に関するものである。
【０００２】
【従来の技術】
図２に示すように特高／高圧変圧器TR1，TR2の高圧側母線BUS1、BUS2には、それぞれ接地変圧器GPT1、GPT2が接続されている。接地変圧器GPT1，GPT2の三次回路（デルタ結線）には、高圧側の中性点接地抵抗とみなす等価接地抵抗CLR1、CLR2が接続されていて、その抵抗値は、完全地絡時に方向地絡継電器DG1、DG2が充分動作する有効電流を流す値に設定されている。図中OVG1，OVG2は過電圧継電器、52Bは母線連絡遮断器である。
【０００３】
【発明が解決しようとする課題】
図２に示すように特高／高圧変圧器TR1，TR2を複数個並列接続して運転する場合、現状では前記等価接地抵抗CLR1、CLR2が並列に接続されることになり、系統の零相抵抗値が低くなってしまい、極端な場合には，抵抗値が半減してしまう恐れもある。
【０００４】
つまり、計画当初は非接地系であるとしていた系統が、抵抗接地系に近づくことになる。このため、上記特高／高圧変圧器の並列台数が増加するほど、系統が抵抗接地系の傾向にますます近づくことになり、地絡保護システムの運用が困難になってしまう問題がある。
【０００５】
この発明は上記の事情に鑑みてなされたもので、複数の特高／高圧変圧器を並列運転させても系統の零相抵抗値が変化しないようにして地絡保護システムに悪影響を与えないようにした等価接地抵抗の抵抗値変化防止装置を提供することを課題とする。
【０００６】
【課題を解決するための手段】
この発明は、上記の課題を達成するために、第１発明は、複数の特高／高圧変圧器にそれぞれ接続された複数の高圧側母線を母線連絡遮断器で接続するとともに高圧側母線には、それぞれ接地変圧器を設け、これら接地変圧器のデルタ結線側には、高圧側の中性点接地抵抗とみなす等価接地抵抗を設け、それら等価接地抵抗の抵抗値は、完全地絡時に方向地絡継電器が充分動作する有効電流を流す値に設定した特高／高圧変圧器の並列運転時の地絡保護システムであって、
前記等価接地抵抗を方向地絡継電器の動作電流確保用抵抗とデルタ結線構成用抵抗の２つに分け、前記デルタ結線構成用抵抗には、前記母線連絡遮断器の接点と前記動作電流確保用抵抗との直列回路が並列接続され、前記動作電流確保用抵抗を前記母線連絡遮断器の開閉条件で入切し、最優先の系統以外の動作電流確保用抵抗を切り離して、特高／高圧変圧器の並列運転時の系統零相抵抗分を一定に保持するようにしたことを特徴とするものである。
【０００７】
第２発明は、高圧側自母線より一つ優先の母線の電圧を監視し、優先母線の接地変圧器の不具合を検出したとき、自母線の方向地絡継電器の動作電流確保用抵抗を投入することを特徴とするものである。
【０００８】
【発明の実施の形態】
以下この発明の実施の形態を図面に基づいて説明する。図１はこの発明の実施の形態を示す概略構成図で、図１において、TR1，TR2，TR3，TR4は、特高／高圧変圧器で、これら変圧器TR1，TR2，TR3，TR4は遮断器CB1，CB2，CB3，CB4を介して母線BUS1，BUS2，BUS3，BUS4にそれぞれ接続される。各母線BUS1〜BUS4間は、母線連絡遮断器52B12，52B23，52B34により連結されている。
【０００９】
前記各母線BUS1〜BUS4には、接地変圧器GPT1〜GPT4が設けられている。接地変圧器GPT1〜GPT4のデルタ結線側には、不足電圧継電器27B1〜27B4が各々設けられている。そして、図２に示した等価接地抵抗（CLR）を、この実施の形態では、デルタ結線構成用抵抗ΔR1〜ΔR4と、図示しない方向地絡継電器の動作電流確保用抵抗RI01〜RI04との２つの抵抗に分け、系統の並列運転時には、優先順位に基づき最優先の系統以外は、方向地絡継電器の動作電流確保用抵抗RI01〜RI04を切り離す回路に構成する。
【００１０】
このように構成することにより、系統の零相抵抗分が変化しない（低減しない）ので、計画通りの地絡保護システムが得られる。
【００１１】
前記接地変圧器GPT1のデルタ結線Δ1には、デルタ結線構成用抵抗ΔR1（50〜数100Ω）が接続されるとともに、その抵抗ΔR1には、方向地絡継電器の動作電流確保用抵抗RI01（数〜数10Ω）と常時入りのスイッチSW（最優先）の直列回路が並列接続される。
【００１２】
次に、接地変圧器GPT2のデルタ結線Δ2には、上記と同様の抵抗値を有するデルタ結線構成用抵抗ΔR2が接続されるとともに、その抵抗ΔR2には、次に示す接点回路CON1と方向地絡継電器の動作電流確保用抵抗RI02との直列回路が並列接続される。また、前記接点回路CON1には、母線連絡遮断器52B12の接点52B12yと不足電圧継電器27B1の接点27B1yとが並列接続される。
【００１３】
さらに、接地変圧器GPT3のデルタ結線Δ3にも、上記と同様の抵抗値を有するデルタ結線構成用抵抗ΔR3が接続されるとともに、その抵抗ΔR3には、次に示す接点回路CON2と方向地絡継電器の動作電流確保用抵抗RI03との直列回路が並列接続される。また、前記接点回路CON2には、母線連絡遮断器52B23の接点52B23yと不足電圧継電器27B2の接点27B2yとが並列接続される。
【００１４】
以下接地変圧器のデルタ結線には上記と同様なデルタ構成用抵抗、接点回路、動作電流確保用抵抗が設けられる。そして、系統が並列運転されるときには、優先順位に基づき最優先の接地変圧器以外は、方向地絡継電器の動作電流確保用抵抗を切り離して系統の零相抵抗分が低減しないようにして、計画通りの地絡保護システムを得ることができる。
【００１５】
なお、何らかの原因で優先順位の高い接地変圧器に不具合が発生した場合には、次の優先順位の接地変圧器に方向地絡継電器の動作電流確保用抵抗を切り替えるためのバックアップ回路としてもこの形態は動作する。
【００１６】
次に上記のように構成された実施の形態の動作を述べる。母線連絡遮断器52B12、52B23、52B34が投入されると、特高／高圧変圧器TR1，TR2，TR3，TR4を有する系統（特高／高圧変圧器）が並列運転されることになる。この並列運転時に、接地変圧器GPT1が不具合になると、常時入りのスイッチSWが図示しない引き外し回路により開放されるとともに、不足電圧継電器27B1が動作する。
【００１７】
すると、その継電器の接点27B1yが閉成される。接点27B1yが閉成されるため、方向地絡継電器の動作電流確保用抵抗RI02に電流が流れて、方向地絡継電器の動作電流が確保される。なお、接点52B12yは母線連絡遮断器52B12が閉成されているため開放状態となるから、動作電流確保用抵抗RI02には電流が流れない。
【００１８】
しかし、母線連絡遮断器52B12が開放されているときには、接点52B12yは閉成状態となるから、接点27B1yが開放されていても動作電流確保用抵抗RI02に動作電流を流すために、接地変圧器GPT2側の不具合時にも、方向地絡継電器の動作には支障を及ぼさない。なお、上記実施の形態は、図２に示すような地絡保護システムに適用される。
【００１９】
【発明の効果】
以上述べたように、この発明によれば、特高／高圧変圧器が並列運転されていても系統の零相抵抗分が変化しないようにしたので、地絡保護システムに悪影響を与えることがなく、地絡保護動作が確実にできるようになる。
【図面の簡単な説明】
【図１】この発明の実施の形態を述べるための概略構成図。
【図２】系統の地絡保護システムの概略構成図。
【符号の説明】
TR1〜TR4…特高／高圧変圧器
BUS1〜BUS4…母線
GPT1〜GPT4…接地変圧器
Δ１〜Δ４…デルタ結線
ΔＲ1〜ΔＲ4…デルタ結線構成用抵抗
ＲI01〜ＲI04…継電器の動作電流確保用抵抗
ＳＷ…スイッチ
27B1〜27B4…不足電圧継電器
52B12〜52B34…母線連絡遮断器
【図１】
0003965876.tif 000002
【図２】
0003965876.tif 000003